(57)【要約】【課題】例えば、水素化マグネシウムを含む水素発生材料を比較的低温なプロセスで製造するのに適したプラズマを用いた処理装置を提供する。【解決手段】本発明のプラズマを用いた処理装置１０は、原料にプラズマを照射する処理室１１と、プラズマ中に原料を浮遊状態で供給する原料供給部１２と、プラズマ化して原料に反応させる反応性ガスを供給するガス供給部１３と、プラズマを生成させるためのマイクロ波を供給するマイクロ波供給部１４と、処理室１１に導入するマイクロ波を通す誘電体の窓１５と、を備え、マイクロ波供給部１４は、少なくとも窓１５を通して処理室１１内に供給されるマイクロ波のマイクロ波電力のピーク値が２．０キロワット以上となるマイクロ波を発生する。【選択図】図１
2020081981.tif 000002
【特許請求の範囲】
【請求項１】
プラズマを用いた処理装置であって、
前記処理装置は、
原料にプラズマを照射する処理室と、
前記プラズマ中に前記原料を浮遊状態で供給する原料供給部と、
プラズマ化して前記原料に反応させる反応性ガスを供給するガス供給部と、
前記プラズマを生成させるためのマイクロ波を供給するマイクロ波供給部と、
前記処理室に導入する前記マイクロ波を通す誘電体の窓と、
を備え、
前記マイクロ波供給部は、少なくとも前記窓を通して前記処理室内に供給される前記マイクロ波のマイクロ波電力のピーク値が２．０キロワット以上となる前記マイクロ波を発生することを特徴とする処理装置。
【請求項２】
前記原料供給部は、
前記処理室外に配置され、前記原料を気体の状態に加熱する加熱部と、
気体の状態を保つように加熱され、前記処理室に前記原料を導く原料供給路と、を備えることを特徴とする請求項１に記載の処理装置。
【請求項３】
前記処理装置は、
前記窓に対面する位置に配置可能に設けられ、前記原料と前記プラズマとの反応生成物を付着させて回収する回収部と、
前記回収部の前記窓に対面する部分の温度を４５０度以上８００度以下の温度に保つことができる温度制御部と、を備えることを特徴とする請求項１又は請求項２に記載の処理装置。
【請求項４】
前記原料供給部は、前記処理室の上側に設けられ、固体状の前記原料を前記プラズマ中に浮遊状態で供給するように投下する原料投入部を備えることを特徴とする請求項１に記載の処理装置。
【請求項５】
前記処理装置は、前記原料と前記プラズマとの反応生成物が落下する位置に配置可能に設けられ、落下した前記反応生成物を回収する回収部を備えることを特徴とする請求項４に記載の処理装置。
【請求項６】
前記処理装置は、
前記処理室の一方側の隣に設けられ、前記回収部をセットする前室と、
前記前室と前記処理室の間に設けられ、前記前室と前記処理室の間を仕切る一方側ゲートと、
前記処理室の他方側の隣に設けられ、前記回収部を取出す後室と、
前記後室と前記処理室の間に設けられ、前記後室と前記処理室の間を仕切る他方側ゲートと、
前記処理室を経由して前記前室にセットされた前記回収部を前記後室まで搬送する搬送部と、を備えることを特徴とする請求項３又は請求項５に記載の処理装置。
【請求項７】
プラズマを用いた処理装置であって、
前記処理装置は、
斜めに傾いた回転中心線を中心に回転し、開口部が斜め上方に位置するように配置された原料にプラズマを照射する処理室と、
プラズマ化して前記原料に反応させる反応性ガスを供給するガス供給部と、
前記プラズマを生成させるためのマイクロ波を供給するマイクロ波供給部と、
前記開口部側に設けられ、前記処理室に導入する前記マイクロ波を通す誘電体の窓と、
を備え、
前記処理室は、
前記回転中心線に沿った内壁面と、
前記内壁面から内側に突出し、固体状の前記原料を掬い上げて前記プラズマ中に前記原料を浮遊状態で供給する羽根と、を備え、
前記マイクロ波供給部は、少なくとも前記窓を通して前記処理室内に供給される前記マイクロ波のマイクロ波電力のピーク値が２．０キロワット以上となる前記マイクロ波を発生することを特徴とする処理装置。
【請求項８】
請求項１から請求項７のいずれか１項に記載の処理装置を用いて水素発生材料を製造する製造方法であって、
前記原料に無水のハロゲン化物を用いるとともに、前記反応性ガスに還元雰囲気を形成する水素原子を含むガスを用いて反応生成物としての水素化マグネシウムを含む水素発生材料を製造することを特徴とする製造方法。
【発明の詳細な説明】
【技術分野】
【０００１】
本発明はプラズマを用いた処理装置及びその処理装置を用いて水素発生材料を製造する製造方法に関する。
【背景技術】
【０００２】
近年、エネルギー源として水素が注目を浴びるようになっており、その水素を貯蔵する方法として水素化マグネシウムがある。
【０００３】
そして、特許文献１には、水素化マグネシウムの製造方法が開示されており、具体的には、水酸化マグネシウムを加熱脱水することで酸化マグネシウムとする第１手順と、約２０００（Ｋ）の温度を有するプラズマトーチのプラズマ火炎中に第１手順で得た酸化マグネシウムを供給するとともに還元剤としてのガスであるメタン及び／又は水素を供給して金属マグネシウムを生成する第２手順と、金属マグネシウムを生成後、プラズマ火炎に供給するガスを水素として、金属マグネシウムから水素化マグネシウムを生成する第３手順を行う方法が開示されている。
【０００４】
なお、特許文献１では、第２手順において、水素を供給すると、冷却時に可逆反応によって、金属マグネシウムが水酸化マグネシウムになってしまうことが説明されており、現実的には、還元剤としてのガスをメタンとして第２手順を行うことになると考えられる。
【先行技術文献】
【特許文献】
【０００５】
【特許文献１】特開２０１１-３２１３１号公報
【発明の概要】
【発明が解決しようとする課題】
【０００６】
ところで、特許文献１では、熱プラズマを用いているため、プラズマの温度が約２０００（Ｋ）という高温であり、設備に高い耐熱性が必要であるとともに、プラズマの温度を２０００（Ｋ）にするのにもエネルギーが使用されているため、エネルギーロスも大きいという問題がある。
【０００７】
本発明は、このような事情に鑑みてなされたものであり、例えば、水素化マグネシウムを含む水素発生材料を比較的低温なプロセスで製造するのに適したプラズマを用いた処理装置及びその処理装置を用いて水素発生材料を製造する製造方法を提供することを目的とする。
【課題を解決するための手段】
【０００８】
本発明は、上記目的を達成するために、以下の構成によって把握される。
（１）本発明の処理装置は、プラズマを用いた処理装置であって、前記処理装置は、原料にプラズマを照射する処理室と、前記プラズマ中に前記原料を浮遊状態で供給する原料供給部と、プラズマ化して前記原料に反応させる反応性ガスを供給するガス供給部と、前記プラズマを生成させるためのマイクロ波を供給するマイクロ波供給部と、前記処理室に導入する前記マイクロ波を通す誘電体の窓と、を備え、前記マイクロ波供給部は、少なくとも前記窓を通して前記処理室内に供給される前記マイクロ波のマイクロ波電力のピーク値が２．０キロワット以上となる前記マイクロ波を発生する。
【０００９】
（２）上記（１）の構成において、前記原料供給部は、前記処理室外に配置され、前記原料を気体の状態に加熱する加熱部と、気体の状態を保つように加熱され、前記処理室に前記原料を導く原料供給路と、を備える。
【００１０】
（３）上記（１）又は（２）の構成において、前記処理装置は、前記窓に対面する位置に配置可能に設けられ、前記原料と前記プラズマとの反応生成物を付着させて回収する回収部と、前記回収部の前記窓に対面する部分の温度を４５０度以上８００度以下の温度に保つことができる温度制御部と、を備える。
【００１１】
（４）上記（１）の構成において、前記原料供給部は、前記処理室の上側に設けられ、固体状の前記原料を前記プラズマ中に浮遊状態で供給するように投下する原料投入部を備える。
【００１２】
（５）上記（４）の構成において、前記処理装置は、前記原料と前記プラズマとの反応生成物が落下する位置に配置可能に設けられ、落下した前記反応生成物を回収する回収部を備える。
【００１３】
（６）上記（３）又は（５）の構成において、前記処理装置は、前記処理室の一方側の隣に設けられ、前記回収部をセットする前室と、前記前室と前記処理室の間に設けられ、前記前室と前記処理室の間を仕切る一方側ゲートと、前記処理室の他方側の隣に設けられ、前記回収部を取出す後室と、前記後室と前記処理室の間に設けられ、前記後室と前記処理室の間を仕切る他方側ゲートと、前記処理室を経由して前記前室にセットされた前記回収部を前記後室まで搬送する搬送部と、を備える。
【００１４】
（７）本発明の処理装置は、プラズマを用いた処理装置であって、前記処理装置は、斜めに傾いた回転中心線を中心に回転し、開口部が斜め上方に位置するように配置された原料にプラズマを照射する処理室と、プラズマ化して前記原料に反応させる反応性ガスを供給するガス供給部と、前記プラズマを生成させるためのマイクロ波を供給するマイクロ波供給部と、前記開口部側に設けられ、前記処理室に導入する前記マイクロ波を通す誘電体の窓と、を備え、前記処理室は、前記回転中心線に沿った内壁面と、前記内壁面から内側に突出し、固体状の前記原料を掬い上げて前記プラズマ中に前記原料を浮遊状態で供給する羽根と、を備え、前記マイクロ波供給部は、少なくとも前記窓を通して前記処理室内に供給される前記マイクロ波のマイクロ波電力のピーク値が２．０キロワット以上となる前記マイクロ波を発生する。
【００１５】
（８）本発明の製造方法は、上記（１）から（７）のいずれか１つの構成を有する処理装置を用いて水素発生材料を製造する製造方法であって、前記原料に無水のハロゲン化物を用いるとともに、前記反応性ガスに還元雰囲気を形成する水素原子を含むガスを用いて反応生成物としての水素化マグネシウムを含む水素発生材料を製造する。
【発明の効果】
【００１６】
本発明によれば、例えば、水素化マグネシウムを含む水素発生材料を比較的低温なプロセスで製造するのに適したプラズマを用いた処理装置及びその処理装置を用いて水素発生材料を製造する製造方法を提供することができる。
【図面の簡単な説明】
【００１７】
【図１】本発明に係る第１実施形態のプラズマを用いた処理装置の断面図である。
【図２】本発明に係る第２実施形態のプラズマを用いた処理装置の断面図である。
【図３】本発明に係る第３実施形態のプラズマを用いた処理装置の断面図である。
【発明を実施するための形態】
【００１８】
以下、添付図面を参照して、本発明を実施するための形態（以下、実施形態）について詳細に説明する。
なお、実施形態の説明の全体を通して同じ要素には同じ番号を付している。
【００１９】
（第１実施形態）
図１は本発明に係る第１実施形態のプラズマを用いた処理装置１０の断面図である。
図１に示すように、処理装置１０は、原料にプラズマを照射する処理室１１と、プラズマ中に原料を浮遊状態で供給する原料供給部１２と、プラズマ化して原料に反応させる反応性ガスを供給するガス供給部１３と、プラズマを生成させるためのマイクロ波を供給するマイクロ波供給部１４と、処理室１１に導入するマイクロ波を通す誘電体（例えば、石英やセラミック等）の窓１５と、を備えている。
【００２０】
なお、本実施形態では、処理室１１の上側に複数（具体的には２個）の窓１５を設け、それぞれの窓１５に対応して複数（具体的には２個）のマイクロ波供給部１４を設けるようにしているが、必ずしも、窓１５及びマイクロ波供給部１４を複数設けなければならないわけではない。
【００２１】
また、処理装置１０は、窓１５に対面する下側の位置に配置可能に設けられ、後ほど説明する原料とプラズマとの反応生成物を付着させて回収する回収部１６と、処理室１１内に配置された回収部１６の少なくとも窓１５に対面する表面ＳＦの部分の温度を４５０度以上８００度以下の温度に保つことができる温度制御部１７と、を備えている。
なお、本実施形態では、回収部１６が４５０度以上８００度以下の温度になるため、回収部１６に厚さ１０ｍｍ以内のステンレスの板を用いている。
【００２２】
さらに、処理装置１０は、処理室１１の一方側（図左側）の隣に設けられ、回収部１６をセットする前室１８と、前室１８と処理室１１の間に設けられ、前室１８と処理室１１の間を仕切る一方側ゲート１９と、処理室１１の他方側（図右側）の隣に設けられ、回収部１６を取出す後室２０と、後室２０と処理室１１の間に設けられ、後室２０と処理室１１の間を仕切る他方側ゲート２１と、処理室１１を経由して前室１８にセットされた回収部１６を後室２０まで搬送する搬送部２２と、を備えている。
【００２３】
なお、処理装置１０は、前室１８の処理室１１の反対側となる位置に設けられ、前室１８に回収部１６を配置する作業の時に開閉される前室扉２３と、後室２０の処理室１１の反対側となる位置に設けられ、後室２０から後述するように反応生成物が付着した回収部１６を取出す時に開閉される後室扉２４と、を備えている。
【００２４】
そして、処理室１１と前室１８との間、及び、処理室１１と後室２０との間が、一方側ゲート１９及び他方側ゲート２１によって、仕切られているときには、処理室１１が密閉空間となる。
【００２５】
また、処理室１１と前室１８との間が一方側ゲート１９で仕切られるとともに、前室扉２３が閉じているときには、前室１８が密閉空間となる。
同様に、処理室１１と後室２０との間が他方側ゲート２１で仕切られるとともに、後室扉２４が閉じられているときには、後室２０が密閉空間となる。
【００２６】
そして、処理装置１０は、前室１８、処理室１１、及び、後室２０のそれぞれに設けられた排気管２５と、排気管２５上に設けられた真空ポンプＰと、真空ポンプＰよりも下流側に設けられ、それぞれの排気管２５が接続される集合排気管２５Ａと、を備えている。
【００２７】
また、処理装置１０は、例えば、前室１８、処理室１１、及び、後室２０の内圧を大気圧にするときに、窒素ガスや希ガス（例えば、ＨｅやＡｒ等）のように活性の低いガス（以下、パージガスともいう）を前室１８、処理室１１、及び、後室２０に供給するために、前室１８、処理室１１、及び、後室２０のそれぞれに接続されたパージガス供給部（図示せず）を備えている。
【００２８】
したがって、前室１８、処理室１１、及び、後室２０は、真空ポンプＰによる排気及びパージガス供給部によるパージガスの供給によって、個別に内圧を調整（大気圧からほぼ真空までの調整）が可能になっている。
【００２９】
次に、原料として無水の塩化マグネシウムを用いて、反応生成物としての水素化マグネシウムを含む水素発生材料を製造する場合を例に取りながら、処理装置１０についてのより詳細な説明を行う。
【００３０】
まず、前室扉２３を開けて、前室１８内に設けられた搬送部２２上に回収部１６をセット（配置）し、前室扉２３を閉める。
【００３１】
そして、処理装置１０は、前室１８の側面側に設けられたヒータ１８Ａを備えており、そのヒータ１８Ａで、回収部１６を、例えば、４００度前後に加熱して回収部１６の表面から数百マイクロメータの範囲に吸着（浸潤）している微量な水分を蒸発させる処理を行う。
【００３２】
なお、この蒸発させた水分は、後述する前室１８の減圧時に排気されることになり、回収部１６を処理室１１に搬送するときに、処理室１１内に水分が混入するのを防止できる。
このため、処理室１１内での還元反応が水分の影響で阻害されないようにできる。
【００３３】
そして、それぞれの真空ポンプＰを駆動して、所定の圧力まで前室１８、処理室１１、及び、後室２０の圧力を減圧する。
例えば、所定の圧力は、処理室１１で原料である無水の塩化マグネシウムにプラズマを照射する時に求められる圧力である。
【００３４】
具体的には、反応性の高い高密度なプラズマを生成するためには、処理室１１内の圧力が低い方が有利であり、所定の圧力は、１０分の１気圧以下が好ましく、１００分の１気圧以下がより好ましく、１０００分の１気圧以下が更に好ましく、本実施形態では、所定の圧力を１００００分の１気圧程度である約１０Ｐａにしている。
【００３５】
しかしながら、反応性は、処理室１１内に存在する、後述の反応性ガスの分圧によっても変わり、分圧という視点で見れば、処理室１１内の圧力が高い方が処理室１１内に存在する反応性ガスの濃度を高くすることができ、有利な面がある。
【００３６】
このことから、所定の圧力としては、１０ＫＰａから１０Ｐａの範囲で選択されることが好ましい。
【００３７】
そして、前室１８、処理室１１、及び、後室２０の圧力が所定の圧力になったら、一方側ゲート１９を開いて、搬送部２２を駆動させて前室１８にセットされた回収部１６を処理室１１に搬送し、一方側ゲート１９を閉じる。
【００３８】
なお、本実施形態では、搬送部２２は、矢印で示すように、時計回りに回転することで回収部１６を前室１８側から後室２０まで搬送可能に、前室１８、処理室１１、及び、後室２０の下側に適切な間隔を保つように設けられた複数の搬送ローラで構成しているが、これに限らず、回収部１６を前室１８側から後室２０まで搬送することができるものであればよい。
【００３９】
このように、回収部１６が処理室１１内に搬送されると、次にプラズマを点燈させた後、そのプラズマ中に原料である無水の塩化マグネシウムを供給する。
【００４０】
具体的に、装置構成を含めて説明すると、まず、ガス供給部１３は、反応性ガスである水素ガスを貯蔵しているガスボンベ又はガスタンクと処理室１１の間を繋ぐガス配管と、そのガス配管上に設けられ、処理室１１に供給する反応性ガスの流量を制御する流量制御器（例えば、マスフローコントローラ）と、を備えており、ガス供給部１３が所定の供給量で処理室１１に反応性ガスの供給を開始する。
【００４１】
なお、図１では、図示を省略しているが、処理装置１０は、処理室１１に希ガス（例えば、ＨｅやＡｒ等）を供給する希ガス供給部も備えており、プラズマ点燈開始時には、希ガスが含まれている方が点燈しやすいため、処理室１１内には、希ガス供給部から希ガスも供給するようにしている。
【００４２】
ただし、一旦、プラズマが点燈すれば、希ガスの供給を止めてもプラズマの点燈を維持する上では問題がないため、プラズマが点燈すると処理室１１への希ガスの供給を停止するようにしている。
【００４３】
なお、先に説明したパージガス供給部が希ガスを供給するものである場合には、パージガス供給部を希ガス供給部として利用してもよい。
【００４４】
そして、処理室１１内に、プラズマ化する反応性ガス（本例では、水素ガス）の供給が開始されると、マイクロ波供給部１４を駆動させてプラズマの点燈を行う。
【００４５】
具体的には、マイクロ波供給部１４は、マイクロ波発生部１４Ａと、マイクロ波発生部１４Ａで発生したマイクロ波を窓１５まで導波させる導波部１４Ｂと、を備えている。
【００４６】
そして、マイクロ波発生部１４Ａは、マイクロ波発生器（例えば、マグネトロン）と、マイクロ波発生器にマイクロ波を発生させるための電力を供給する電源装置と、を備えており、その電源装置から電力がマイクロ波発生器に供給されると、マイクロ波発生器でマイクロ波が発生し、その発生したマイクロ波は導波部１４Ｂによって窓１５のところまでガイドされ、窓１５を通じて処理室１１内に導入される。
そうすると、処理室１１内に反応性ガスである水素ガスのプラズマが点燈する。
【００４７】
なお、本実施形態のプラズマは、マイクロ波表面波プラズマであり、マイクロ波表面波プラズマ（本例では、マイクロ波表面波水素プラズマ）は、電子密度が高いので窓１５を通じて照射されたマイクロ波はマイクロ波表面波プラズマの表面で反射されて内部には入らないがマイクロ波表面波プラズマの表面に沿う形で伝搬される。
【００４８】
また、マイクロ波表面波プラズマは、他のプラズマ（例えば、高周波プラズマや直流放電プラズマ等）と比較すれば、電子温度が低く（例えば、１ｅＶ程度）、他のプラズマのように、高い電子温度（例えば、１０ｅＶ以上）とするためにエネルギーが消費されるプラズマと異なり、エネルギーロスが少ないという利点があるとともに、例えば、０．５ｍ２以上の大面積の範囲に生成することができる。
【００４９】
さらに、処理室１１内に入射させるマイクロ波は、窓１５を通して伝搬するが、表面波として吸収されるため、処理室１１内には、マイクロ波（電磁波）が存在せず、処理室１１内の構成自由度が高い。
【００５０】
そして、マイクロ波表面波プラズマは、プラズマ中のイオンや分子の温度が熱プラズマと呼ばれるものに比べ大幅に低い（ほぼ常温）という特徴があり、先行技術文献で用いられている熱プラズマに比べ圧倒的に低い温度のプロセスを実現することができる。
【００５１】
一方、本実施形態のように、原料である無水の塩化マグネシウムと反応性ガスである水素ガスのプラズマを反応させて反応生成物としての水素化マグネシウムを含む水素発生材料を生成する場合、水素発生材料中の水素化マグネシウムの含有率を高くするのには、高いプラズマ密度のプラズマを用いることが重要である。
なお、反応性ガスとは反応生成物を構成する原子を含むガスであり、したがって、希ガスは反応性ガスにはならない。
【００５２】
そこで、本実施形態では、マイクロ波供給部１４に、少なくとも窓１５を通して処理室１１内に供給されるマイクロ波のマイクロ波電力のピーク値が２．０キロワット以上となるマイクロ波を発生するものを用いている。
なお、２．０キロワット未満のマイクロ波電力のマイクロ波でプラズマを生成していた時も水素化マグネシウムの生成反応は見られていたが、２．０キロワット以上になっていることで圧倒的に水素化マグネシウムの含有率の高い水素発生材料が得られる状態となった。
【００５３】
具体的には、電源装置に平均使用電力の最大値が１．５キロワットのパルス型の電源装置を用いており、瞬間的にはマイクロ波発生器（例えば、マグネトロン）に６．０キロワット程度の電力が供給され、マイクロ波電力の最大値が６．０キロワット程度のパルス型のマイクロ波電力を有するマイクロ波が発生するものとしている。
【００５４】
なお、マイクロ波電力の最小値は０キロワットであり、マイクロ波電力の最大値間の時間周期が３０マイクロ秒である。
このようにマイクロ波電力の最小値が０キロワットになる瞬間があっても、プラズマ密度が、プラズマの消える密度に至る前に点燈を維持することができるだけのマイクロ波電力を有するマイクロ波が供給されていれば、プラズマの点燈を維持することが可能であり、しかも、マイクロ波電力の最大値間の時間周期が短ければ、マイクロ波電力の最大値に対応したプラズマ密度を維持することができる。
【００５５】
このため、平均的なマイクロ波電力を抑えつつ、高いプラズマ密度のプラズマの点燈を維持することが可能であり、このことは、マイクロ波を発生させるために使用される平均的な電力を抑えられることを意味する。
【００５６】
ただし、電源装置にパルス型の電源装置を用いることが必須ではなく、例えば、供給電力の設定値として２.０キロワット以上の設定が行える直流型の電源装置を用いるようにしてもよい。
【００５７】
なお、本実施形態のように、窓１５を通して処理室１１内に供給されるマイクロ波のマイクロ波電力のピーク値が２．０キロワット以上にするためには、窓１５に至るまでの反射減衰を見込んで、直流型の電源装置の場合、２．５キロワット以上の設定が行えるものを選ぶのが好ましい。
【００５８】
また、プラズマ密度を高くする点からすれば、マイクロ波供給部１４には、少なくとも窓１５を通して処理室１１内に供給されるマイクロ波のマイクロ波電力のピーク値が３．０キロワット以上となるマイクロ波を発生するものを用いるのがよく、４．０キロワット以上となるマイクロ波を発生するものを用いるのが更によい。
【００５９】
一方、導波部１４Ｂの設計にもよるが、窓１５から導入するマイクロ波のマイクロ波電力のピーク値を大きくするために、マイクロ波電力のピーク値を高くしすぎると、導波部１４Ｂ内で放電が発生するという問題があるため、マイクロ波供給部１４には、発生させるマイクロ波のマイクロ波電力のピーク値が２４キロワット以下、更には、１５キロワット以下のマイクロ波を発生するものを用いるのが好ましい。
【００６０】
そして、処理室１１内に反応性ガスである水素ガスのプラズマが点燈すると、そのプラズマ中に原料である無水の塩化マグネシウムを浮遊状態で供給する。
【００６１】
具体的には、原料供給部１２は、処理室１１の上側の外に配置され、貯蔵した原料（本例では、無水の塩化マグネシウム）を気体の状態に加熱する加熱部１２Ａと、気体の状態を保つように加熱され、処理室１１に原料を導く原料供給路１２Ｂと、を備えており、気体の状態で処理室１１に供給することで、原料である無水の塩化マグネシウムが浮遊状態でプラズマ中に供給される。
【００６２】
なお、図示は省略しているが、加熱部１２Ａ及び原料供給路１２Ｂは、原料である無水の塩化マグネシウムが気体となる温度、例えば、処理室１１が約１０Ｐａであれば、６５０度以上（具体的には、７００度）に加熱できるヒータ構造（例えば、通電加熱構造等）を備えている。
【００６３】
また、原料供給部１２は、加熱部１２Ａの上部に設けられ、加熱部１２Ａに原料を投入する時に開閉される上蓋１２ＡＡを備えている。
【００６４】
そして、原料（本例では、無水の塩化マグネシウム）と反応性ガスのプラズマ（本例では、マイクロ波表面波水素プラズマ）との反応生成物である水素化マグネシウムが回収部１６の窓１５に対面する表面ＳＦの部分に付着する。
【００６５】
なお、回収部１６に水素化マグネシウムだけが付着するのが望ましいが、一部、未反応の原料（無水の塩化マグネシウム）等も付着するため、反応生成物としての水素化マグネシウムを含む水素発生材料が付着することになる。
【００６６】
ところで、回収部１６の窓１５に対面する表面ＳＦの部分の温度を所定の温度にすることで、その表面ＳＦに付着する水素発生材料中の水素化マグネシウムの含有率を高くできることがわかり、そのため先に触れたように、本実施形態では、処理装置１０が、処理室１１内に配置された回収部１６の少なくとも窓１５に対面する表面ＳＦの部分の温度を４５０度以上８００度以下の温度に保つことができる温度制御部１７を備えるものとしている。
【００６７】
具体的には、温度制御部１７は、処理室１１の側面側に設けられたヒータ１７Ａと、回収部１６に近接するように処理室１１の底面側に設けられた温調部１７Ｂと、を備えている。
【００６８】
なお、温調部１７Ｂは、回収部１６よりも下側に位置し、処理室１１内にリークしないように所定の温度に保たれた温調媒体（例えば、水）を循環させる循環路と、その循環路の途中（例えば、処理室１１の外側に位置する循環路の部分）に設けられ、温調媒体の温度を制御する温調器（図示せず）と、循環路内の温調媒体を循環させるためのポンプ（図示せず）と、を備えている。
【００６９】
そして、温度制御部１７のヒータ１７Ａは、処理室１１内の温度を原料である無水の塩化マグネシウムが気体の状態を保つ機能も兼ねたものになっており、そのヒータ１７Ａによって加熱された回収部１６を温調部１７Ｂで、例えば、冷却することで回収部１６の少なくとも窓１５に対面する表面ＳＦの部分の温度を４５０度以上８００度以下の温度に保てるようにしている。
【００７０】
例えば、水素化マグネシウムは、圧力が約１０Ｐａの条件のときに、約１００度以上の温度になると、金属マグネシウムと水素に分解しはじめるため、本来は、回収部１６の表面ＳＦの温度は１００度未満が望ましいと考えられる。
【００７１】
確かに、１００度未満の低温に保つようにすると、単位時間当たりの付着量が増加するとともに、水素の発生率の高い水素発生材料が得られる傾向が見られた。
【００７２】
しかしながら、表面ＳＦを低温に保つことでは、付着した水素発生材料を水素化マグネシウムの本来の色である白色の状態にすることができず、金属マグネシウム等を含む状態から脱することができなかった。
【００７３】
そして、実験を繰り返しているときに、表面ＳＦの温度が比較的高い温度になったときがあり、そのときに表面ＳＦに付着した水素発生材料が白色で、これまでになく、水との反応で激しく発砲するものになっていることを発見した。
なお、水素発生量については、発砲状態だけでなく、水素検知管での測定も行っている。
【００７４】
そこで、表面ＳＦの温度を高温とした実験を進めた結果、表面ＳＦが４００度以上８００度以下の温度に保たれているときに、白色で水と激しく反応する、水素化マグネシウムの含有率の高い水素発生材料が得られることがわかった。
【００７５】
なお、より好ましくは、４５０度以上７５０度以下で、より白色で水と激しく反応する水素発生材料が得られ、更には、４５０度以上６００度以下で、更に白色で水と激しく反応する水素発生材料が得られることを見出した。
【００７６】
このような現象は、先に説明した水素化マグネシウムの分解しはじめる温度を念頭に平衡状態を考えた時には理解できない現象であるが、上述のように、マイクロ波電力の高いマイクロ波で高いプラズマ密度のプラズマを発生させている場合、反応性の高い水素が多く存在し、水素化マグネシウムが分解される速度よりも早く、水素化マグネシウムになる反応が進んでいるのではないかと推察している。
【００７７】
より正確には、水素化マグネシウムが消失する過程は、まず、金属マグネシウムと水素に分解する反応が起きて、その後、金属マグネシウムが気体になるのではと考えており、上述のように、反応性の高い水素が多く存在することで、はじめの金属マグネシウムと水素に分解する過程が阻害される結果、上述のような高温でも水素化マグネシウムが表面ＳＦ上に存在し続けることができているのではないかと推察している。
【００７８】
なお、窓１５からの距離が離れるとプラズマ密度が低下するため、回収部１６は、回収部１６の表面ＳＦと窓１５の間の最短距離が少なくとも３０ｃｍ以内に位置するように、処理室１１内に配置可能になっていることが好ましく、２５ｃｍ以内に位置するように処理室１１内に配置可能になっていることがより好ましく、２０ｃｍ以内に位置するように処理室１１内に配置可能になっていることが更に好ましい。
【００７９】
しかも、圧力約１０Ｐａの状態で、４００℃以上になると金属マグネシウムが気体の状態になりはじめると考えられるため、水素発生材料中の不純物としての金属マグネシウムの割合が減少し、又は、水素化マグネシウムに変化し、更に、表面ＳＦに無水の塩化マグネシウムを付着させた後に、プラズマを照射するようにした場合でも、少しずつ水素化マグネシウムが生成されると考えられる実験結果も得られていることから、表面ＳＦに付着した無水の塩化マグネシウムも水素化マグネシウムとなり、水素発生材料中の不純物としての無水の塩化マグネシウムも減少し、結果として、水素化マグネシウムを多く含む水素発生材料が得られるのではないかと推察している。
【００８０】
したがって、高濃度に水素化マグネシウムを含む水素発生材料を得るためには、本実施形態のように、処理装置１０が、処理室１１内に配置された回収部１６の少なくとも窓１５に対面する表面ＳＦの部分の温度を４５０度以上８００度以下の温度に保つことができる温度制御部１７を備えるものとすることが好ましい。
【００８１】
なお、このようにして回収部１６に水素発生材料を付着させている間に、前室１８にはパージガス供給部からパージガスが供給され、大気圧になったところで前室扉２３を開けて、次の回収部１６がセットされ、先ほどと同様に、前室扉２３を閉じて回収部１６の加熱を行いながら真空ポンプＰで処理室１１内の圧力とほぼ同じ圧力にする処理が行われる。
【００８２】
そして、ある程度、回収部１６に水素発生材料が付着したところで、他方側ゲート２１を開いて、搬送部２２を駆動させて後室２０に回収部１６を搬送し、他方側ゲート２１を閉じるとともに、一方側ゲート１９を開けて次の回収部１６を処理室１１に搬送し、一方側ゲート１９を閉じて、先ほどと同様に、次の回収部１６に水素発生材料を付着させる処理が行われる。
【００８３】
このようにして、後室２０に搬送された回収部１６は、後室扉２４を開けて取出されることになる。
なお、この取出しを行うためには、後室扉２４を開ける必要があり、後室２０内を大気圧にして後室扉２４を開けることができるように、パージガス供給部から後室２０にパージガスの供給が行われ、回収部１６を取出した後、再び、真空ポンプＰで後室２０が処理室１１内の圧力とほぼ同じ圧力に減圧される。
【００８４】
したがって、本実施形態の処理装置１０では、装置を止めることなく、回収部１６のセットから取出しまでを行えるため効率よく、水素発生材料を生産することができ、しかも、金属マグネシウムを得る必要なく、１回のプラズマプロセスで原料である無水の塩化マグネシウムから水素化マグネシウムを含む水素発生材料を生成することができる。
【００８５】
一方、水素発生材料から水素を取出すには、水に水素発生材料を投入すればよく、このときに起こる反応は、以下の式１に示す反応である。
ＭｇＨ２  ＋  ２Ｈ２Ｏ  →  Ｍｇ（ＯＨ）２  ＋  ２Ｈ２・・・（１）
なお、水の方が多く存在しているところに水素発生材料を投入することを考えれば、水の中に水酸化マグネシウム（Ｍｇ（ＯＨ）２）が混じった状態になるが、水酸化マグネシウムはあまり水に溶けないため水と分離するのはそれほど難しくはない。
【００８６】
そして、その反応でできる副生成物である水酸化マグネシウムと塩化アンモニウムを約４００度の温度で反応させると、以下の式２の反応が起こることから、簡単に水素発生材料から水素を発生させるときに出る副生成物を利用して原料である無水の塩化マグネシウムを再生することができる。
Ｍｇ（ＯＨ）２  ＋  ２ＮＨ４Ｃｌ
→  ＭｇＣｌ２  ＋  ２ＮＨ３  ＋２Ｈ２Ｏ・・・（２）
【００８７】
しかも、アンモニア（２ＮＨ３）は、常温で塩化水素（ＨＣｌ）と反応し、塩化アンモニウム（ＮＨ４Ｃｌ）になるが、上述した水素発生材料を生成するプラズマプロセスでは、式３に示す反応が起っており、排ガスとして塩化水素が発生するので、この塩化水素と副生成物から原料を再生する時に発生するアンモニアを反応させることで、簡単に塩化アンモニウムを再生することができる。
ＭｇＣｌ２  ＋  ２Ｈ２  →  ＭｇＨ２  ＋２ＨＣｌ・・・（３）
【００８８】
したがって、処理装置１０の説明に併せて説明した上述の水素発生材料の製造方法は、副生成物のリサイクルという点で優れたものであるばかりでなく、副生成物のリサイクルまでを含めてみれば、有害なガス（塩化水素やアンモニア）が一連の処理内でループするため、有害なガスを廃棄する必要がないという点でも優れている。
【００８９】
（第２実施形態）
次に、本発明に係る第２実施形態のプラズマを用いた処理装置１０について説明する。
第１実施形態では、原料である無水の塩化マグネシウムを気体の状態として処理室１１に供給することで、プラズマ中に原料を浮遊状態で供給するものとしていた。
【００９０】
この場合、プラズマ中の原料（本例では、無水の塩化マグネシウム）は、極限に近い小さい粒子径の状態になっており、活性も高まっていると考えられる。
このことから、反応速度が速く、水素化マグネシウムに変化するのに必要な時間が短いという利点があると考えられる。
【００９１】
そして、プラズマ中での反応は、式３に示した通りであるから、投入した原料である無水の塩化マグネシウムが、仮に１００％反応していたとすれば、原料を１ｍｏｌ投入すれば、１ｍｏｌの水素化マグネシウムが生成されることになるから、投入した原料のｍｏｌと同じｍｏｌ数の水素化マグネシウムが回収できたとすれば、原料歩留率１００％と考えられる。
【００９２】
しかし、投入した原料である無水の塩化マグネシウムが仮に１００％反応していたとしても、第１実施形態の手法では、実際に回収できる水素化マグネシウムの分量が、回収部１６に付着できたものだけに留まるため、原料歩留率を１００％にするのは難しい手法である。
【００９３】
一方、原料である無水の塩化マグネシウムを気体の状態とするのではなく、固体の状態を保ったままで処理するようにすれば、排ガスとともに排出される原料（本例では、無水の塩化マグネシウム）及び反応生成物（本例では、水素化マグネシウム）を抑制しやすく、高い原料歩留率にすることができる。
【００９４】
そこで、本実施形態では、原料（本例では、無水の塩化マグネシウム）を気化（気体の状態）にしないで反応生成物（本例では、水素化マグネシウム）を得ることができる処理装置１０について説明する。
【００９５】
ただし、本実施形態の処理装置１０も、全体構成としては第１実施形態とほぼ同様であることから、以下では主に異なる点について説明し、第１実施形態と同様の点については説明を省略する場合がある。
【００９６】
図２は本発明に係る第２実施形態のプラズマを用いた処理装置１０の断面図である。
図２に示すように、本実施形態の処理装置１０は、処理室１１が、前室１８及び後室２０に比べ鉛直方向に高さがあるものになっている。
【００９７】
そして、処理装置１０は、第１実施形態と同様に、処理室１１の上側に配置された原料供給部１２を備えているが、この原料供給部１２は、原料（本例では、無水の塩化マグネシウム）を気体の状態にするためのヒータ構造を有していない。
【００９８】
具体的には、原料供給部１２は、処理室１１の上側の外に配置され、貯蔵した原料（本例では、無水の塩化マグネシウム）を固体状のまま定量供給する定量供給部１２Ｃと、定量供給部１２Ｃの排出口から処理室１１内に出っ張るように延在し、排出口から排出された固体状の原料をそのまま処理室１１内まで導く原料供給路１２Ｄと、を備えており、例えば、定量供給部１２Ｃは、粉体を定量で排出する一般的な粉体定量排出機（サークルフィーダ構造を備えた排出機等）でよい。
【００９９】
なお、第１実施形態と同様に、原料供給部１２は、定量供給部１２Ｃの上部に設けられ、定量供給部１２Ｃに原料を投入する時に開閉される上蓋１２ＣＡを備えている。
【０１００】
また、第１実施形態では、前室１８、処理室１１、及び、後室２０のそれぞれの底部に排気管２５が接続されていたが、本実施形態では、前室１８、及び、後室２０については、同様に底部に排気管２５が接続されているものの、処理室１１については、原料供給路１２Ｄの処理室１１側の開口部よりも上側の側面に排気管２５が接続されている。
【０１０１】
このため、原料供給路１２Ｄの処理室１１側の開口部から処理室１１内に投下される固体状の原料（本例では、無水の塩化マグネシウム）が排気管２５に吸い込まれ難くなっている。
【０１０２】
そして、処理装置１０は、鉛直方向で見て、原料供給路１２Ｄの処理室１１側の開口部よりも下側となる処理室１１の側面に位置し、鉛直方向に並ぶ複数の窓１５と、各窓１５に対応して設けられたマイクロ波供給部１４と、を備えている。
【０１０３】
なお、本実施形態では、窓１５は鉛直方向で見た位置で対向するように一対設けられ、そのような窓１５の対が鉛直方向に複数設けられたものとしているが、窓１５は対をなすように設けられている必要はない。
【０１０４】
したがって、処理室１１の上側に設けられた原料供給部１２は、固体状の原料（本例では、無水の塩化マグネシウム）をプラズマ中に浮遊状態で供給するように投下する原料投入部として機能する。
【０１０５】
そして、第１実施形態と同様に、処理装置１０は、回収部１６を備えているが、その回収部１６は、先ほどのように、反応生成物（本例では、水素化マグネシウム）を付着させるためのものではなく、落下した反応生成物を回収する回収部１６になっている。
このため、回収部１６は、原料（本例では、無水の塩化マグネシウム）とプラズマとの反応生成物が落下する位置に配置可能に設けられるものである必要がある。
【０１０６】
なお、回収部１６によって回収される材料には、反応生成物（本例では、水素化マグネシウム）だけでなく、未反応の原料（本例では、無水の塩化マグネシウム）等も含まれている場合がある。
【０１０７】
そして、本実施形態では、処理室１１内にヒータを設けていないが、原料（本例では、無水の塩化マグネシウム）を気体の状態にしない範囲で加熱して反応をサポートさせ、回収部１６によって回収される水素発生材料中の未反応の原料（本例では、無水の塩化マグネシウム）の割合を減らすために、処理装置１０が処理室１１の側面側に設けられたヒータを備えるものとしてもよい。
【０１０８】
また、処理室１１の高さを、更に、高くして、鉛直方向に並ぶ窓１５を増やし、その窓１５に対応するマイクロ波供給部１４を増やすようにして、回収部１６に至るまでに原料（本例では、無水の塩化マグネシウム）にプラズマが照射される時間を長くすることで、回収部１６によって回収される水素発生材料中の未反応の原料（本例では、無水の塩化マグネシウム）の割合を減らすようにしてもよい。
【０１０９】
さらに、原料供給部１２からプラズマ中に投下する原料（本例では、無水の塩化マグネシウム）のサイズを小さくしていくことで、単位重量当たりの表面積を気体の状態でプラズマ中に原料が供給されている状態に近づけることができ、例えば、平均粒子径がマイクロオーダーやサブミクロンオーダーの固体状の原料をプラズマ中に投下するようにして、回収部１６によって回収される水素発生材料中の未反応の原料（本例では、無水の塩化マグネシウム）の割合を減らすようにしてもよい。
【０１１０】
そして、本実施形態によれば、先に説明したように、反応生成物である水素化マグネシウム、及び、原料（本例では、無水の塩化マグネシウム）が排気管２５から排出される割合を大きく低減することが可能であるから、原料歩留率を高くすることができる。
【０１１１】
（第３実施形態）
第２実施形態では、処理室１１を鉛直方向に高さがあるものとして、固体状の原料（本例では、無水の塩化マグネシウム）が回収部１６に至るまでの時間を長くして、原料が反応するのに必要なプラズマ照射時間を得るようにしていた。
【０１１２】
しかしながら、このような形態では、固体状の原料（本例では、無水の塩化マグネシウム）にプラズマを照射する時間に合わせて処理室１１の鉛直方向の高さを変える必要がある。
【０１１３】
そこで、第３実施形態として、処理室１１の高さを変えることなく、固体状の原料（本例では、無水の塩化マグネシウム）にプラズマを照射する時間を変えることが可能な構成について説明する。
【０１１４】
図３は本発明に係る第３実施形態のプラズマを用いた処理装置１０の断面図である。
なお、図３では、一部部材に関しては、点線とした透かし図として描いている。
【０１１５】
図３に示すように、処理装置１０は、密閉室本体２６Ａと、開閉扉２６Ｂと、を有する密閉室２６を備えている。
【０１１６】
そして、処理装置１０は、その密閉室２６内に収容され、密閉室本体２６Ａに固定されたモータＭと、密閉室２６内に収容され、内部が処理室１１として機能する回転ドラム２８を備えている。
【０１１７】
具体的には、回転ドラム２８は、円筒状のドラム本体部２８Ａと、円錐状の窪みを有する底部２８Ｂと、を備えており、底部２８Ｂの先端側がモータＭの回転軸２７に着脱可能に固定されている。
【０１１８】
そして、回転軸２７は、処理室１１としての回転ドラム２８の回転中心線と一致し、回転軸２７が斜め上方に傾いて設けられていることで、処理室１１としての回転ドラム２８（ドラム本体部２８Ａ）の開口部ＯＰが斜め上方に位置するように配置されている。
【０１１９】
つまり、処理装置１０は、斜めに傾いた回転中心線を中心にモータＭによって回転し、開口部ＯＰが斜め上方に位置するように配置された、原料（本例では、無水の塩化マグネシウム）にプラズマを照射する処理室１１として機能する回転ドラム２８を備えている。
【０１２０】
そして、処理装置１０は、開閉扉２６Ｂとともに移動するマイクロ波供給部１４と、開閉扉２６Ｂとともに移動し、処理室１１として機能する回転ドラム２８の開口部ＯＰ側に設けられ、処理室１１としての回転ドラム２８内に導入するマイクロ波を通す誘電体の窓１５と、を備えている。
【０１２１】
マイクロ波供給部１４は、これまでと同様に、マイクロ波発生部１４Ａと、マイクロ波発生部１４Ａで発生したマイクロ波を窓１５まで導波させる導波部１４Ｂと、を備えている。
なお、マイクロ波供給部１４が、少なくとも窓１５を通して処理室１１（回転ドラム２８）内に供給されるマイクロ波のマイクロ波電力のピーク値が２．０キロワット以上となるマイクロ波を発生する点もこれまでと同じである。
【０１２２】
本実施形態では、窓１５は、導波部１４Ｂの処理室１１としての回転ドラム２８側の先端に固定されており、マイクロ波発生部１４Ａ、及び、導波部１４Ｂが開閉扉２６Ｂに対して固定されている。
【０１２３】
このため、太矢印で示すように、密閉室本体２６Ａから離れる方向に開閉扉２６Ｂを移動させ、密閉室２６を開放すると、マイクロ波供給部１４、及び、窓１５が開閉扉２６Ｂとともに移動し、回転ドラム２８にアクセスできるようになる。
【０１２４】
そして、回転ドラム２８と回転軸２７の間の固定を解除することで、回転ドラム２８を密閉室２６から取出すことができるようになっている。
【０１２５】
なお、本実施形態でも、プラズマを点燈させるときには、処理室１１としての回転ドラム２８内を減圧する必要があり、そのために、処理装置１０は、密閉室２６（密閉室本体２６Ａ）に設けられた排気管２５と、排気管２５上に設けられた真空ポンプＰと、を備えており、密閉室２６を減圧することで、処理室１１としての回転ドラム２８内の圧力が所定の圧力とされる。
【０１２６】
また、処理室１１としての回転ドラム２８内にプラズマ化して原料（本例では、無水の塩化マグネシウム）に反応させる反応性ガス（本例では、水素ガス）を供給するために、処理装置１０は、密閉室２６（密閉室本体２６Ａ）に設けられたガス供給部１３を備えている。
【０１２７】
さらに、処理装置１０は、開閉扉２６Ｂを開けるときに、密閉室２６内を大気圧とほぼ同じ圧力とするために密閉室２６（密閉室本体２６Ａ）に設けられたパージガス供給部（図示せず）も、これまでと同様に備えている。
【０１２８】
ただし、このパージガス供給部（図示せず）は、先に説明したように、希ガス供給部と共通であってもよく、窒素ガスを供給するパージガス供給部として、プラズマ点燈開始時に希ガスを供給するための希ガス供給部を別途有するものであってもよい。
【０１２９】
そして、処理室１１としての回転ドラム２８は、回転中心軸に沿った円筒状のドラム本体部２８Ａの内壁面と、内壁面から内側に突出し、固体状の原料（本例では、無水の塩化マグネシウム）を掬い上げてプラズマ中に原料を浮遊状態で供給する羽根２８ＢＡと、を備えている。
【０１３０】
したがって、原料（本例では、無水の塩化マグネシウム）は、鉛直方向下側に落下すると、羽根２８ＢＡによって掬い上げられ、再び、プラズマ中に浮遊状態で落下させるように供給されることが繰り返される。
【０１３１】
このため、原料（本例では、無水の塩化マグネシウム）は、１回の落下でプラズマ中に浮遊状態で存在できる時間がＸ秒であっても、それがＮ回繰り返されることで、プラズマ中にＸ×Ｎ秒の間、浮遊状態で存在することになる。
【０１３２】
つまり、プラズマを点燈した状態で、処理室１１としての回転ドラム２８を何回転させるのかを変えるだけで、浮遊状態の固体状の原料（本例では、無水の塩化マグネシウム）に対してプラズマを照射した時間を変えることができ、処理室１１の高さを高くすることなく、反応に必要なプラズマの照射時間分、プラズマの照射を行うことができる。
【０１３３】
以上、具体的な実施形態に基づいて、本発明について説明してきたが、本発明は、上記の具体的な実施形態に限定されるものではない。
【０１３４】
上記実施形態の態様に触れればわかるように、本明細書には、処理装置１０を用いて水素発生材料を製造する製造方法も開示されているものである。
【０１３５】
例えば、上記実施形態では、原料として無水の塩化マグネシウムを用いた場合について説明したが、原料としては、無水のハロゲン化物［例えば、ハロゲン化アルカリ土類金属（フッ化マグネシウム、塩化マグネシウム、臭化マグネシウム、ヨウ化マグネシウム等のハロゲン化マグネシウム、及び、フッ化カルシウム、塩化カルシウム、臭化カルシウム、ヨウ化カルシウム等のハロゲン化カルシウム）や、ハロゲン化アルカリ金属（フッ化リチウム、塩化リチウム、臭化リチウム、ヨウ化リチウム等のハロゲン化リチウム）］を好適に用いることができる。
【０１３６】
また、上記では、プラズマ化する気体が水素ガスである場合について示したが、例えば、メタン、プロパンといった炭化水素ガスであっても、水素ガスと同様の還元処理が行えることから、水素ガスに限定されず、炭化水素ガスであってもよい。
ただし、炭化水素ガスの場合、排ガスに炭素を含むガスが発生することから低炭素なプロセスとするためには、水素ガスを使用するのがよい。
【０１３７】
したがって、本明細書には、処理装置１０を用いて水素発生材料を製造する製造方法として、原料に無水のハロゲン化物を用いるとともに、反応性ガスに還元雰囲気を形成する水素原子を含むガス（水素ガス又は炭化水素ガス）を用いて反応生成物としての水素化マグネシウムを含む水素発生材料を製造する製造方法も開示されているものである。
【０１３８】
このように、本発明は具体的な実施形態に限定されるものではなく、適宜、変形や改良を施したものも本発明の技術的範囲に含まれるものであり、そのことは、当業者にとって特許請求の範囲の記載から明らかである。
【符号の説明】
【０１３９】
１０  処理装置
１１  処理室
１２  原料供給部
１２Ａ  加熱部
１２ＡＡ  上蓋
１２Ｂ  原料供給路
１２Ｃ  定量供給部
１２ＣＡ  上蓋
１２Ｄ  原料供給路
１３  ガス供給部
１４  マイクロ波供給部
１４Ａ  マイクロ波発生部
１４Ｂ  導波部
１５  窓
１６  回収部
１７  温度制御部
１７Ａ  ヒータ
１７Ｂ  温調部
１８  前室
１８Ａ  ヒータ
１９  一方側ゲート
２０  後室
２１  他方側ゲート
２２  搬送部
２３  前室扉
２４  後室扉
２５  排気管
２５Ａ  集合排気管
２６  密閉室
２６Ａ  密閉室本体
２６Ｂ  開閉扉
２７  回転軸
２８  回転ドラム
２８Ａ  ドラム本体部
２８Ｂ  底部
２８ＢＡ  羽根
Ｍ  モータ
ＯＰ  開口部
Ｐ  真空ポンプ
ＳＦ  表面
【図１】
2020081981.tif 000003
【図２】
2020081981.tif 000004
【図３】
2020081981.tif 000005